【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
被印刷媒体を搬送方向にガイドするガイドローラーと、
回転軸を有して前記被印刷媒体の前記搬送方向に回転する第１ローラー、および前記第１ローラーの回転軸に交差する回転軸を有して回転する第２ローラーを備え、前記ガイドローラーでガイドされた前記被印刷媒体を挟持する交差ローラー対と、
駆動手段により駆動される搬送駆動ローラー、および前記搬送駆動ローラーに従動回転する搬送従動ローラーを備え、前記交差ローラー対に挟持された被印刷媒体を前記搬送方向に搬送する搬送用ローラー対と、
前記搬送用ローラー対で搬送された被印刷媒体を印刷する印刷部と、
を有することを特徴とする印刷装置。
【請求項２】
前記被印刷媒体の前記搬送方向に沿った一方の端部を規制する規制部を備える請求項１に記載の印刷装置。
【請求項３】
前記搬送用ローラー対は、前記搬送方向と直交する幅方向の前記被印刷媒体の略中央に配置され、
前記交差ローラー対は、前記被印刷媒体の前記搬送方向に沿った前記一方の端部と対向する他方の端部側に配置される請求項２に記載の印刷装置。
【請求項４】
回転軸を有して前記被印刷媒体の前記搬送方向に回転する第３ローラー、および前記第１ローラーの回転軸に交差する回転軸を有して回転する第４ローラーを備え、前記交差ローラー対で挟持されて搬送された前記被印刷媒体を挟持する第２交差ローラー対を有する請求項１に記載の印刷装置。
【請求項５】
前記第１ローラーの前記被印刷媒体が接する部位がポリアセタール樹脂、前記第２ローラーの前記被印刷媒体が接する部位がステンレススチール、である請求項１に記載の印刷装置。
【請求項６】
前記規制部へ前記被印刷媒体を付勢する付勢手段を備える請求項２に記載の印刷装置。
【請求項７】
回転軸を有して被印刷媒体の搬送方向に回転する第１ローラー、および前記第１ローラーの回転軸に交差する回転軸を有して回転する第２ローラーを備え、搬送された前記被印刷媒体を挟持する交差ローラー対と、
駆動手段により駆動される搬送駆動ローラー、および前記搬送駆動ローラーに従動回転する搬送従動ローラーを備え、前記交差ローラー対に挟持された被印刷媒体を前記搬送方向に搬送する搬送用ローラー対と、
を備えることを特徴とする印刷装置用の搬送装置。
【請求項８】
前記被印刷媒体の前記搬送方向に沿った一方の端部を規制する規制部を備える請求項７に記載の印刷装置用の搬送装置。
【請求項９】
前記搬送用ローラー対は、前記搬送方向と直交する幅方向の前記被印刷媒体の略中央に配置され、
前記交差ローラー対は、前記被印刷媒体の前記搬送方向に沿った前記一方の端部と対向する他方の端部側に配置される請求項８に記載の印刷装置用の搬送装置。
【手続補正２】
【補正対象書類名】明細書
【補正対象項目名】０００８
【補正方法】変更
【補正の内容】
【０００８】
本適用例の印刷装置は、被印刷媒体を搬送方向にガイドするガイドローラーと、回転軸を有して前記被印刷媒体の前記搬送方向に回転する第１ローラー、および前記第１ローラーの回転軸に交差する回転軸を有して回転する第２ローラーを備え、前記ガイドローラーでガイドされた前記被印刷媒体を挟持する交差ローラー対と、駆動手段により駆動される搬送駆動ローラー、および前記搬送駆動ローラーに従動回転する搬送従動ローラーを備え、前記交差ローラー対に挟持された被印刷媒体を前記搬送方向に搬送する搬送用ローラー対と、前記搬送用ローラー対で搬送された被印刷媒体を印刷する印刷部と、を有することを特徴とする。
また、本発明の前記被印刷媒体の前記搬送方向に沿った一方の端部を規制する規制部を備える。
また、前記搬送用ローラー対は、前記搬送方向と直交する幅方向の前記被印刷媒体の略中央に配置され、前記交差ローラー対は、前記被印刷媒体の前記搬送方向に沿った前記一方の端部と対向する他方の端部側に配置される。
【手続補正３】
【補正対象書類名】明細書
【補正対象項目名】０００９
【補正方法】変更
【補正の内容】
【０００９】
本発明によれば、交差ローラー部によって挟持された被印刷媒体と第２ローラーとは搬送方向においては滑り摩擦を生ずる。この滑り摩擦による搬送方向とは反対方向に作用する摩擦力が、被印刷媒体に対して搬送用ローラー対による被印刷媒体の挟持部分を作用点として被印刷媒体の中心方向に作用する回転モーメントとなり、被印刷媒体の一方の端部を規制部に付勢する。付勢されて被印刷媒体が規制部に当接することにより被印刷媒体は正しい搬送方向に矯正され、その搬送方向が維持される。
【手続補正４】
【補正対象書類名】明細書
【補正対象項目名】００１１
【補正方法】変更
【補正の内容】
【００１１】
また、回転軸を有して前記被印刷媒体の前記搬送方向に回転する第３ローラー、および前記第１ローラーの回転軸に交差する回転軸を有して回転する第４ローラーを備え、前記交差ローラー対で挟持されて搬送された前記被印刷媒体を挟持する第２交差ローラー対を有することが好ましい。
【手続補正５】
【補正対象書類名】明細書
【補正対象項目名】００１２
【補正方法】変更
【補正の内容】
【００１２】
本発明によれば、第１ローラーおよび第２ローラーの円柱面同士で交差配置させて被印刷媒体を挟持させることで、ばらつきによって第１ローラーと第２ローラーとの配置に相対的な配置ずれが生じても、被印刷媒体を挟持する領域の変動を少なくすることができ、安定して被印刷媒体の搬送を行うことができる。
【手続補正６】
【補正対象書類名】明細書
【補正対象項目名】００１３
【補正方法】変更
【補正の内容】
【００１３】
また、前記第１ローラーの前記被印刷媒体が接する部位がポリアセタール樹脂、前記第２ローラーの前記被印刷媒体が接する部位がステンレススチール、であることが好ましい。
【手続補正７】
【補正対象書類名】明細書
【補正対象項目名】００１４
【補正方法】変更
【補正の内容】
【００１４】
被印刷媒体の搬送方向に回転する第１ローラーは、被印刷媒体を搬送方向に交差する方向に付勢して規制部に被印刷媒体の端部を当接させるために、被印刷媒体との摩擦抵抗が大きいと付勢を確実に行えなくなる虞がある。従って、第１ローラーをポリアセタール樹脂（ＰＯＭ：ｐｏｌｙｏｘｙｍｅｔｈｙｌｅｎｅ）によって形成することにより、被印刷媒体との接触面は摩擦抵抗を小さくすることができ、成形性に優れ、構造体としての強度を有し、低コストの第１ローラーを得ることができる。
【手続補正８】
【補正対象書類名】明細書
【補正対象項目名】００１６
【補正方法】変更
【補正の内容】
【００１６】
また、  前記規制部へ前記被印刷媒体を付勢する付勢手段を備えることが好ましい。
【手続補正９】
【補正対象書類名】明細書
【補正対象項目名】００１７
【補正方法】変更
【補正の内容】
【００１７】
本発明によれば、交差ローラーによる規制部への被印刷媒体の付勢に加えて、付勢手段による付勢を行うことで、確実に記録手段に対して正しい搬送方向で被印刷媒体を搬送することができる。
【手続補正１０】
【補正対象書類名】明細書
【補正対象項目名】００１８
【補正方法】変更
【補正の内容】
【００１８】
本発明の印刷装置用の搬送装置は、
回転軸を有して被印刷媒体の搬送方向に回転する第１ローラー、および前記第１ローラーの回転軸に交差する回転軸を有して回転する第２ローラーを備え、搬送された前記被印刷媒体を挟持する交差ローラー対と、駆動手段により駆動される搬送駆動ローラー、および前記搬送駆動ローラーに従動回転する搬送従動ローラーを備え、前記交差ローラー対に挟持された被印刷媒体を前記搬送方向に搬送する搬送用ローラー対と、を備えることを特徴とする。
また、前記被印刷媒体の前記搬送方向に沿った一方の端部を規制する規制部を備える。
また、前記搬送用ローラー対は、前記搬送方向と直交する幅方向の前記被印刷媒体の略中央に配置され、前記交差ローラー対は、前記被印刷媒体の前記搬送方向に沿った前記一方の端部と対向する他方の端部側に配置される。
【手続補正１１】
【補正対象書類名】明細書
【補正対象項目名】００１９
【補正方法】変更
【補正の内容】
【００１９】
所望の搬送方向で被印刷媒体が記録手段に搬送されることにより、被印刷媒体における相対的な記録画像の記録位置を正確に制御することができるため、高品質の記録画像を得ることができる。